(57)【要約】【課題】  垂木を横架材に簡単に仮支持ができ、ねじ具の締付で簡単に本固定できる。【解決手段】  垂木１に固定金具２を取付け、該固定金具２の垂木１よりも下方に突出した部位の軒側端部から棟方向に向けて遊嵌用凹部３を凹設する。遊嵌用凹部３の上縁部を上挟持部４とする。固定金具２に対して可動金具５をねじ具６により上下方向に移動自在に取付ける。可動金具５の軒側端部から上端縁が下挟持部７となった挟持突片８を突設する。屋根梁９ａ又は母屋９ｂよりなる横架材９の上フランジ１０の軒側端部上に垂木１を載置した状態で、固定金具２の遊嵌用凹部３を上記上フランジ１０の棟側端部に遊嵌状態で嵌め込んで上挟持部４を上記上フランジ１０の棟側端部上面に載置すると共に、ねじ具６を螺合して可動金具５の下挟持部７を上記上フランジ１０の棟側端部下面に圧接する。【選択図】        図１
2006312845.tif 000002
【特許請求の範囲】
【請求項１】
垂木に固定金具を取付け、該固定金具の垂木よりも下方に突出した部位の軒側端部から棟方向に向けて遊嵌用凹部を凹設すると共に遊嵌用凹部の上縁部を上挟持部とし、固定金具に対して可動金具をねじ具により上下方向に移動自在に取付け、可動金具の軒側端部から上端縁が下挟持部となった挟持突片を突設し、屋根梁又は母屋よりなる横架材の上フランジの軒側端部上に垂木を載置した状態で、固定金具の遊嵌用凹部を上記上フランジの棟側端部に遊嵌状態で嵌め込んで上挟持部を上記上フランジの棟側端部上面に載置すると共に、ねじ具を螺合して可動金具の下挟持部を上記上フランジの棟側端部下面に圧接して成ることを特徴とする垂木の取付け構造。
【発明の詳細な説明】
【技術分野】
【０００１】
本発明は、垂木を屋根梁、母屋等の横架材に取付けるための技術に関するものである。
【背景技術】
【０００２】
従来から垂木１を屋根梁、母屋等の横架材９に取付けるに当たっては、図７に示すように下部に軒側端部から棟側に向けて切り込み部３０を設けた板状金具３１を用いて断面Ｈ字状等の横架材９に垂木１を取付けるようにしている。（例えば、特許文献１参照）
上記の従来例にあっては、横架材９上に垂木１を直交するように交差させて載置し、横架材９への垂木１の取付け位置の位置決めをした後、板状金具３１をハンマーで打撃して切り込み部３０を横架材９の上フランジ１０の棟側端部に嵌め込み、板状金具３１の上部を垂木１の側面に釘打ち等により固着することで取付けていた。
【０００３】
ところが、上記の従来例にあっては、屋根という高所において横架材９に対する垂木１の配置位置の位置決めをし、更に、位置決めした状態で垂木１が位置ずれしないように保持した状態で、板状金具３１を用いて垂木１を横架材９に固定する作業をする必要があり、施工が面倒であった。
【０００４】
特に、複数の並設した垂木１上に面板１２を取着した構造の屋根パネル１１を横架材９上に取付ける場合は、屋根パネル１１をクレーン等で吊下げて横架材９上に乗せ、位置決め作業を行い、位置決め状態で屋根パネル１１が位置ずれしないように保持した状態で、上記板状金具３１を用いて固定作業を行うのであるが、この場合、垂木１を一本、一本別々に施工する場合に比べて、重量の重い屋根パネル１１の位置決め作業を行い、位置決め後に重量の重い屋根パネル１１が位置決め状態で動かないように保持しながら板状金具３１で固定する作業を行わなければならないので、いっそう作業がし難いという問題がある。
【特許文献１】実開昭６３−１８７６２２
【発明の開示】
【発明が解決しようとする課題】
【０００５】
本発明は上記の従来の問題点に鑑みて発明したものであって、垂木を横架材上に交差するように載置した状態で簡単に仮支持ができ、ねじ具を締付けるだけで簡単に本固定できて屋根という高所における作業が容易にできる垂木の取付け構造を提供することを課題とするものである。
【課題を解決するための手段】
【０００６】
上記課題を解決するために本発明に係る垂木の取付け構造は、垂木１に固定金具２を取付け、該固定金具２の垂木１よりも下方に突出した部位の軒側端部から棟方向に向けて遊嵌用凹部３を凹設すると共に遊嵌用凹部３の上縁部を上挟持部４とし、固定金具２に対して可動金具５をねじ具６により上下方向に移動自在に取付け、可動金具５の軒側端部から上端縁が下挟持部７となった挟持突片８を突設し、屋根梁９ａ又は母屋９ｂよりなる横架材９の上フランジ１０の軒側端部上に垂木１を載置した状態で、固定金具２の遊嵌用凹部３を上記上フランジ１０の棟側端部に遊嵌状態で嵌め込んで上挟持部４を上記上フランジ１０の棟側端部上面に載置すると共に、ねじ具６を螺合して可動金具５の下挟持部７を上記上フランジ１０の棟側端部下面に圧接して成ることを特徴とするものである。
【０００７】
このような構成とすることで、垂木１に固定金具２を取付けると共に、固定金具２にねじ具６により上下移動自在に取付けた可動金具５をねじ具６を緩めることで下挟持部７を遊嵌用凹部３の下縁部よりも下方に離した状態で、垂木１を横架材９の上フランジ１０の軒側端部上に載置し、更に固定金具２の遊嵌用凹部３を上記上フランジ１０の棟側端部に遊嵌状態で嵌め込むことことで、棟側から軒側に向けて下り傾斜した姿勢で垂木１を横架材９に移動しないように仮止め支持することができ、このようにして垂木１を横架材９上に仮止め保持した状態でねじ具６を締付ける作用を行うだけで、上挟持部４と下挟持部７とで横架材９の上フランジ１０の棟側端部を上下から挟持して簡単に本固定できる。しかも、遊嵌用凹部３を上フランジ１０の棟側端部に遊嵌状態で嵌め込むことで仮支持できるので、仮支持に当たってはクレーンで垂木１（又は屋根パネル１１）を吊下げて横架材９上を横架材９に対して直交する姿勢にして棟側から軒側に向けてずらすことで、簡単に遊嵌用凹部３を上フランジ１０の棟側端部に遊嵌して仮支持させることができ、屋根という高所における作業が簡単に行えることになる。
【発明の効果】
【０００８】
本発明は、横架材への垂木の取付けに当たって、垂木を横架材上に簡単に仮支持させることができ、しかも、仮支持させた状態でねじ具を締付けるだけで簡単に本固定ができ、屋根という高所における作業が簡単且つ安全に行える。
【発明を実施するための最良の形態】
【０００９】
以下、本発明を添付図面に示す実施形態に基いて説明する。
【００１０】
添付図面に示す実施形態では屋根パネル１１の下面に複数本の垂木１を設けたものにおいて、該屋根パネル１１の下面の垂木１を屋根梁９ａ、母屋９ｂ等の横架材９に取付ける例で説明する。
【００１１】
屋根パネル１１は複数本の垂木１を所定間隔を隔てて並設し、この複数本の垂木１の上に複数本の垂木１にわたるように屋根下地板となる面板１２を取着することで屋根パネル１１が構成してある。
【００１２】
添付図面に示す実施形態では図３のように垂木１として下方に開口した断面略逆Ｕ字状をした鋼製垂木を例示している。下方に開口した断面略逆Ｕ字状の垂木１の下開口の両開口縁には互いに対向するように開口縁片１３が突設してある。
【００１３】
垂木１の長手方向（軒棟方向）の所定位置（つまり、垂木１の横架材９への取付け位置）には固定金具２が取付けてあり、この固定金具２には可動金具５をねじ具６により上下方向に移動自在に取付けてある。
【００１４】
図１に示す実施形態では、図２に示す垂木１の屋根梁９ａへの取付け位置に固定金具２が取付けてあり、この固定金具２は左右一対の側板１４の上部間を連結片１５により一体化したもので、両側板１４の上部から更に上方に固定片１４ａを突設し、また、両側板１４の下部の軒側端部から棟方向に向けて上縁部が上挟持部４となった遊嵌用凹部３が凹設してある。更に両側板１４の下端から上方に向けて係合溝１６が設けてある。連結片１５には孔１５ａが設けてある。
【００１５】
上記の固定金具２は垂木１の所定位置に下方から固定片１４ａがそれぞれ垂木１の両側面の外側に当接するように嵌め込むと共に連結片１５を開口縁片１３に当接した状態でスクリュー釘のような固着具２９により垂木１の側面部に固着するもので、垂木１に固着した状態で遊嵌用凹部３、係合溝１６を設けた部分が垂木１の下面よりも下方に突出するようになっている。
【００１６】
可動金具５は略逆Ｕ字状をした可動金具本体部５ａの下部の軒側端部に軒側に向けて挟持突片８が突設してあり、挟持突片８の上縁部が下挟持部７となっており、更に、可動金具本体部５ａの両側片の後端部に外側方に向けて係合片１７が突設してあり、また、可動金具本体部５ａの上面には孔５ｂが設けてある。
【００１７】
可動金具５は固定金具２の下部の垂木１よりも下方に突出した部分の内部に上下移動自在に嵌め込まれるもので、係合片１７が係合溝１６に上下移動自在に係合して可動金具５の固定金具２に対する上下方向の移動のガイドをおこなっている。可動金具５の孔５ｂからボルトのようなねじ具６を挿入して固定金具２の孔１５ａに挿通し、ねじ具６の先端にナットのような雌ねじ部材１８を螺合してあり、更に、固定金具２の連結片１５と可動金具５の上面部との間にコイルスプリングのようなばね材１９が介在してあり（実施形態では固定金具２の連結片１５と可動金具５の上面部との間に介在したコイルスプリングに上記ねじ具６が挿通してある）、ばね材１９により可動金具５を固定金具２から下方に離す方向の弾性付勢力を付与してある。ねじ具６を緩めるとばね材１９により可動金具５が押されて下方に移動し、下挟持部７が遊嵌用凹部３の下縁部２０よりも下方位置まで移動できるようになっており、ねじ具６を締付けることでばね材１９のばね力に抗して可動金具５が上方に移動し、下挟持部７が上挟持部４に近接するようになっている。
【００１８】
ここで、遊嵌用凹部３の上端縁である上挟持部４及び挟持突片８の上縁部の下挟持部７はそれぞれ垂木１を目的とする屋根勾配となるように傾斜させた状態で水平となるように設定してある。また、遊嵌用凹部３は棟側端部の上下凹部巾が後述の屋根梁９ａ又は母屋９ｂ等の横架材９の上フランジ１０の肉厚よりも大きく且つ軒側に行くほど上下に凹部幅が広がるように形成してある。また、遊嵌用凹部３の下縁部２０は好ましくは垂木１の施工時の勾配（屋根勾配）と同じか又は大きい勾配とする。
【００１９】
上記の構成の屋根パネル１１は工場で製造して現場に運んで施工するものであり、現場ではまず柱４０、梁４１、横架材９（屋根梁９ａ、母屋９ｂ）、束４２等により架構体を形成し、一方、上記屋根パネル１１に固定金具２、可動金具５を取付けると共に下挟持部７を遊嵌用凹部３の下縁部２０よりも下方に位置させた状態で屋根パネル１１をクレーンにより吊下げ、屋根梁９ａ、母屋９ｂの上方において垂木１が屋根梁９ａ、母屋９ｂと直交するように屋根パネル１１を配置し、クレーンで吊下げたまま屋根パネル１１の垂木１を断面Ｈ字状をした屋根梁９ａ、母屋９ｂよりなる横架材９の上フランジ１０の軒側端部上に載置して屋根パネル１１を屋根勾配と同じ勾配に傾斜させた状態で軒側に向けてスライドさせることで、遊嵌用凹部３を屋根梁９ａの上フランジ１０の棟側端部に遊嵌し、遊嵌用凹部３の棟側端部を上フランジ１０の先端に突き当てる。このように屋根パネル１１の垂木１を屋根梁９ａ、母屋９ｂよりなる横架材９の上フランジ１０の軒側端部上に載置し、且つ、垂木１が屋根勾配と同じ勾配となり、且つ、遊嵌用凹部３の棟側端部を横架材９の上フランジ１０の先端に突き当たった状態で、遊嵌用凹部３の上端縁である上挟持部４が上フランジ１０の棟側端部の上面に当接するように設定してある。
【００２０】
このようにして屋根パネル１１の垂木１を横架材９に対して所定の状態となるように位置決めし（垂木１を所定の屋根勾配となるように傾斜させると共に垂木１の横架材９に対する取付け位置を位置決めし）、該位置決め状態を仮保持することができる。
【００２１】
この屋根パネル１１の垂木１を横架材９上に位置決め仮保持した状態で、ねじ具６を締付けることで可動金具５が上方に移動して下挟持部７を横架材９の上フランジ１０の棟側端部の下面部に押圧し、上挟持部４と下挟持部７とで横架材９の上フランジ１０の棟側端部を上下から挟持することで本固定するものであり、このような本固定作業が仮支持状態でねじ具６の締付け作業だけでよいので、屋根という高所において簡単且つ安全に行えるものである。
【００２２】
図５、図６には固定金具２の他の実施形態が示してある。本実施形態では固定金具２が、断面略逆Ｕ字状をした受け部材２１と、固定金具本体２２とで構成してある。断面略逆Ｕ字状をした受け部材２１は断面略逆Ｕ字状の垂木１内に嵌め込んであると共に垂木１の下開口の両開口縁の開口縁片１３上に受け部材２１の両側片の下端が載置してある。受け部材２１の上面部にはねじ孔２１ａが設けてある。固定金具本体２２は、断面逆Ｕ字状をしていて両側片２３の上端部から上方に回り止め突片２４が突設してあり、固定金具本体２２の上面部には２個の孔２５、２６が設けてある。また、固定金具本体２２の両側片２３の下部の軒側端部から棟方向に向けて上縁部が上挟持部４となった遊嵌用凹部３が凹設してある。更に両側片２３の下端から上方に向けて係合溝１６が設けてある。固定金具本体２２は上面部を垂木１の下開口の両開口縁の開口縁片１３の下面に当接すると共に回り止め突片２４を垂木１の両外側面に重ねて当接し、この状態で、固定金具本体２２の孔２５から挿入したボルトのようなねじ具２８をコイルスプリングのような弾性材２７を介して受け部材２１のねじ孔２１ａに螺合することで取付けてあり、ねじ具２８を緩めると固定金具２を垂木１の長手方向にスライドできて取付け位置を調整できるようにしてある。
【００２３】
可動金具５は前述の実施形態で述べたのと同じ構成となっており、可動金具５は固定金具２の下部の垂木１よりも下方に突出した固定金具本体２２の内部に上下移動自在に嵌め込まれるもので、係合片１７が係合溝１６に上下移動自在に係合して可動金具５の固定金具２に対する上下方向の移動のガイドをおこなっている。可動金具５の孔５ｂからボルトのようなねじ具６を挿入して固定金具２の孔２６に挿通し、ねじ具６の先端に雌ねじ部材１８を螺合してあり、更に、固定金具本体２２の上面部と可動金具５の上面部との間に前述の実施形態と同様にコイルスプリングのようなばね材１９が介在してある。ここで、前述のねじ孔２１ａを設けた受け部材２１を雌ねじ部材１８として用いてもよい。この場合は受け部材２１を垂木１内に嵌め込んであると共に垂木１の下開口の両開口縁の開口縁片１３上に受け部材２１の両側片の下端を載置する。
【００２４】
本実施形態のものも前述の実施形態と同様に屋根パネル１１の垂木１の取付けができる。屋根パネル１１の垂木１の取付けは前述の実施形態と同様であるので説明は省略する。本実施形態における基本的な作用効果は前述の実施形態と同じであるが、本実施形態においては、更に、固定金具２を垂木１の長手方向にスライドできて取付け位置を調整ができるという効果がある。
【００２５】
図１、図５に示す実施形態では図２のイで示す部分において、屋根パネル１１の垂木１を屋根梁９ａに取付ける例で示したが、図２のロで示す母屋９ｂ部分においても同様にして取付けてもよいのは勿論であるが、屋根梁９ａに上記のようにして屋根パネル１１の垂木１を固定すると、屋根パネル１１が位置決めされた状態で固定してあるため動かないので、その後、母屋９ｂに固定する際は位置決め作業や、仮保持などが必要でなく、したがって、従来から公知の取付け方法により屋根パネル１１の垂木１と母屋９ｂとを固定してもよい。また、屋根パネル１１の垂木１を上記と同様にして先に母屋９ｂに取付け、その後、屋根パネル１１の垂木１を屋根梁９ａに取付けるようにしてもよく、この場合、屋根梁９ａに固定する際は位置決め作業や、仮保持などが必要でなく、したがって、従来から公知の取付け方法により屋根パネル１１の垂木１と屋根梁９ａとを固定してもよい。
【００２６】
また、上記各実施形態においては、垂木１を予め屋根パネル１１の一構成部材としてあらかじめ工場で屋根パネル１１に組み付けて現場では屋根パネル１１を施工することで垂木１の取付けを行うようにしたが、垂木１を現場で一本一本上記と同様にして横架材９に取付けるようにしてもよいものである。
【図面の簡単な説明】
【００２７】
【図１】本発明の要部（図２のイ部分）の断面図である。
【図２】同上の屋根パネルの垂木を屋根梁、母屋に載置した状態の概略説明図である。
【図３】同上の垂木に固定金具、可動金具を取付けた状態の断面図である。
【図４】（ａ）は同上に用いる固定金具、可動金具の斜視図であり、（ｂ）は分解斜視図である。
【図５】本発明の他の実施形態の要部の断面図である。
【図６】（ａ）は同上に用いる固定金具、可動金具の斜視図であり、（ｂ）は分解斜視図である。
【図７】従来例を示す垂木の取付けを示す断面図である。
【符号の説明】
【００２８】
１  垂木
２  固定金具
３  遊嵌用凹部
４  上挟持部
５  可動金具
６  ねじ具
７  下挟持部
８  挟持突片
９  横架材
１０  上フランジ
【図１】
2006312845.tif 000003
【図２】
2006312845.tif 000004
【図３】
2006312845.tif 000005
【図４】
2006312845.tif 000006
【図５】
2006312845.tif 000007
【図６】
2006312845.tif 000008
【図７】
2006312845.tif 000009